【手続補正書】
【提出日】平成18年4月24日(2006.4.24)
【手続補正１】
【補正対象書類名】明細書
【補正対象項目名】発明の名称
【補正方法】変更
【補正の内容】
【発明の名称】無線通信システム、無線通信装置、及びその制御方法、並びにコンピュータプログラム
【手続補正２】
【補正対象書類名】明細書
【補正対象項目名】特許請求の範囲
【補正方法】変更
【補正の内容】
【特許請求の範囲】
【請求項１】
第１の無線通信装置と、第２の無線通信装置とを有する無線通信システムであって、
前記第１の無線通信装置は、
各周波数におけるビーコンを検出する検出手段と、
該検出手段で検出したビーコンに含まれるネットワーク識別情報に従って、当該識別情報のネットワーク上に存在する特定の機能を有する無線通信装置を探索する探索手段と、
無線通信相手先を決定するため、前記探索手段により探索した無線通信装置に関する情報を選択可能に表示する表示手段と、
前記検出手段によりビーコンを検出中に、前記表示手段に表示された識別情報の１つが選択された場合、それ以降の検出を中止し、選択された識別情報で特定される無線通信装置との接続処理を行う制御手段と、を有し、
前記第２の無線通信装置は、
特定の周波数で無線受信の待機をしている際に、探索要求情報を検出すると、自身の識別情報を含む情報を応答情報として送信する送信手段と、
を有することを特徴とする無線通信システム。
【請求項２】
無線通信装置であって、
各周波数におけるビーコンを検出する検出手段と、
該検出手段で検出したビーコンに含まれるネットワーク識別情報に従って、当該識別情報のネットワーク上に存在する特定の機能を有する無線通信装置を探索する探索手段と、
無線通信相手先を決定するために、前記探索手段により探索した無線通信装置の識別情報を選択可能に表示する表示手段と、
前記検出手段によビーコンを検出中に、前記表示手段に表示された識別情報の１つが選択された場合、それ以降の検出を中止し、選択された識別情報で特定される無線通信装置との接続処理を行う制御手段と、
を有することを特徴とする無線通信装置。
【請求項３】
前記探索手段は、前記特定の機能を有する無線通信装置を探索するために、該検出手段で検出したビーコンに含まれるネットワーク識別情報に従って、探索要求情報を送信し、該探索要求情報に対する応答を受信すると、該応答に含まれる相手側の無線通信装置の識別情報をメモリに記憶し、
前記表示手段は、前記メモリに記憶された識別情報を選択可能に表示することを特徴とする請求項２に記載の無線通信装置。
【請求項４】
前記無線通信装置乃至前記相手無線通信装置は撮像装置、或いは、撮像画像を印刷処理する装置、或いは、撮像画像を保存処理する保存装置のいずれかであることを特徴とする請求項２又は３に記載の無線通信装置。
【請求項５】
予め設定された時間内に、相手先の無線通信装置が１つも探索できなかった場合にはエラー表示することを特徴とする請求項２から４のいずれか１項に記載の無線通信装置。
【請求項６】
無線通信確立した相手先の無線通信装置との接続に関する情報をメモリに登録する登録手段を備えることを特徴とする請求項２から５のいずれか１項に記載の無線通信装置。
【請求項７】
更に、前記登録手段により登録された情報に基づいて、無線通信確立のための処理を行うモードを有することを特徴とする請求項６に記載の無線通信装置。
【請求項８】
無線通信装置であって、
各周波数におけるビーコンを検出する検出手段と、
該検出手段で検出したビーコンに含まれるネットワーク識別情報に従って、当該識別情報のネットワーク上に存在する特定の機能を有する無線通信装置を探索する探索手段と、
前記検出手段で検出したビーコンがアドホック通信モードでのビーコンであるか、インフラストラクチャー通信モードでのビーコンであるかを判断する判断手段と、を有し、
前記探索手段は、
前記判断手段によってアドホック通信モードでのビーコンであると判断した場合、当該ビーコン発生源の無線通信処理装置に向けて探索要求情報を送信し、
前記判断手段によってインフラストラクチャー通信モードでのビーコンであると判断した場合、アクセスポイントに向けて無線通信処理装置の探索要求情報を送信する
ことを特徴とする無線通信装置。
【請求項９】
無線通信装置であって、
過去に接続経験した相手側の無線通信装置のデバイス識別情報及びネットワーク識別情報を記憶する記憶手段と、
該記憶手段に記憶された中の、特定の相手先無線通信装置と通信する履歴検索モードか、相手先無線通信装置を無線通信で探索し、探索された相手無線通信装置と通信する新規検索モードにするかを指示する指示手段と、
該指示手段で新規検索モードが指示された場合、ビーコンを検出するビーコン検出手段と、
検出されたビーコンに含まれるネットワーク識別情報と、前記記憶手段に記憶されているネットワーク識別情報とを比較し、一致したネットワーク識別情報がある場合には、前記検出手段により他のビーコンの検出を行わせ、新規のネットワーク識別情報である場合には、当該新規ネットワーク識別情報により通信する相手先の無線通信装置を探索する探索手段と、
該探索手段で探索されたデバイス識別情報の１つを選択可能に表示する第１の表示手段と、
前記指示手段によって履歴検索モードが指示された場合、前記記憶手段に記憶されているデバイス識別情報を選択可能に表示する第２の表示手段と、
前記第１、第２の表示手段で表示された１つのデバイス識別情報が選択された場合、当該選択されたデバイス識別情報に基づいて、無線通信確立処理を行う無線通信確立処理手段とを備えることを特徴とする無線通信装置。
【請求項１０】
第１の無線通信装置と、第２の無線通信装置とを有する無線通信システムであって、
前記第１の無線通信装置は、
指示された処理種別を判断する判断手段と、
無線ネットワーク上の各デバイスが報知する信号に基づいて、前記判断手段により判断した処理種別の機能を有するデバイスを識別し、識別したデバイスに関する情報を表示する表示手段を備え、
前記第２の無線通信装置は、
自身の機能を示すデバイス識別情報を無線ネットワーク上に報知する報知手段を備え、
前記表示手段で表示された識別情報の１つの選択が行われた場合、前記第１、第２の無線通信装置との通信を確立するための処理を行うことを特徴とする無線通信システム。
【請求項１１】
無線通信装置であって、
指示された処理種別を判断する判断手段と、
無線ネットワーク上の各デバイスが報知する信号に基づいて、前記判断手段により判断した処理種別の機能を有するデバイスを識別し、識別したデバイスに関する情報を表示する表示手段を備えることを特徴とする無線通信装置。
【請求項１２】
無線通信装置の制御方法であって、
複数の周波数におけるビーコンを検出する検出工程と、
該検出工程において検出したビーコンに含まれるネットワーク識別情報に従って、当該識別情報のネットワーク上に存在する特定の機能を有する無線通信装置を探索する探索工程と、
無線通信相手先を決定するために、前記探索工程において探索した無線通信装置の識別情報を選択可能に表示部に表示させる表示工程と、
前記検出工程においてビーコンを検出中に、前記表示工程において表示された識別情報の１つが選択された場合、それ以降の検出を中止し、選択された識別情報で特定される無線通信装置との接続処理を行う制御工程と、
を有することを特徴とする無線通信装置の制御方法。
【請求項１３】
無線通信装置の制御方法であって、
各周波数におけるビーコンを検出する検出工程と、
該検出工程において検出したビーコンに含まれるネットワーク識別情報に従って、当該識別情報のネットワーク上に存在する特定の機能を有する無線通信装置を探索する探索工程と、
前記検出工程において検出したビーコンがアドホック通信モードでのビーコンであるか、インフラストラクチャー通信モードでのビーコンであるかを判断する判断工程と、を有し、
前記探索工程は、
前記判断工程においてアドホック通信モードでのビーコンであると判断した場合、当該ビーコン発生源の無線通信処理装置に向けて探索要求情報を送信し、
前記判断工程においてインフラストラクチャー通信モードでのビーコンであると判断した場合、アクセスポイントに向けて無線通信処理装置の探索要求情報を送信する
ことを特徴とする無線通信装置の制御方法。
【請求項１４】
無線通信装置の制御方法であって、
過去に接続経験した相手側の無線通信装置のデバイス識別情報及びネットワーク識別情報をメモリに記憶する記憶工程と、
前記メモリに記憶した中の、特定の相手先無線通信装置と通信する履歴検索モードか、相手先無線通信装置を無線通信で探索し、探索された相手無線通信装置と通信する新規検索モードにするかの操作者による指示を判定する判定工程と、
操作者により前記新規検索モードが指示された場合、ビーコン検出を実行し、検出されたビーコンに含まれるネットワーク識別情報と、前記メモリに記憶されているネットワーク識別情報とを比較し、一致したネットワーク識別情報がある場合には、他のビーコンの検出を継続し、新規のネットワーク識別情報である場合には、当該新規ネットワーク識別情報により通信する相手先の無線通信装置を探索する探索工程と、
該探索工程において探索されたデバイス識別情報の１つを表示部に選択可能に表示させる第１の表示工程と、
操作者により前記履歴検索モードが指示された場合、前記メモリに記憶されているデバイス識別情報を前記表示部に選択可能に表示させる第２の表示工程と、
前記第１、第２の表示工程において表示されたデバイス識別情報が選択された場合、当該選択されたデバイス識別情報に基づいて、無線通信確立処理を行う無線通信確立処理工程とを備えることを特徴とする無線通信装置の制御方法。
【請求項１５】
無線通信装置の制御方法であって、
操作者により指示された処理種別を判断する判断工程と、
無線ネットワーク上の各デバイスが報知する信号に基づいて、前記判断工程において判断した処理種別の機能を有するデバイスを識別し、識別したデバイスに関する情報を表示部に選択可能に表示させる表示工程を備えることを特徴とする無線通信装置の制御方法。
【請求項１６】
請求項１２乃至１５のいずれか１項に記載の制御方法の各工程をコンピュータに実行させるためのプログラム。
【手続補正３】
【補正対象書類名】明細書
【補正対象項目名】００１６
【補正方法】変更
【補正の内容】
【００１６】
【課題を解決するための手段】
かかる課題を解決するため、例えば本発明の無線通信システムは以下の構成を備える。すなわち、
第１の無線通信装置と、第２の無線通信装置とを有する無線通信システムであって、
前記第１の無線通信装置は、
各周波数におけるビーコンを検出する検出手段と、
該検出手段で検出したビーコンに含まれるネットワーク識別情報に従って、当該識別情報のネットワーク上に存在する特定の機能を有する無線通信装置を探索する探索手段と、
無線通信相手先を決定するため、前記探索手段により探索した無線通信装置に関する情報を選択可能に表示する表示手段と、
前記検出手段によりビーコンを検出中に、前記表示手段に表示された識別情報の１つが選択された場合、それ以降の検出を中止し、選択された識別情報で特定される無線通信装置との接続処理を行う制御手段と、を有し、
前記第２の無線通信装置は、
特定の周波数で無線受信の待機をしている際に、探索要求情報を検出すると、自身の識別情報を含む情報を応答情報として送信する送信手段と、
を有することを特徴とする無線通信システム。
【手続補正４】
【補正対象書類名】図面
【補正対象項目名】図５
【補正方法】変更
【補正の内容】
【図５】
2004328269.tif 000001
【手続補正５】
【補正対象書類名】図面
【補正対象項目名】図１０
【補正方法】変更
【補正の内容】
【図１０】
2004328269.tif 000002